(57)【特許請求の範囲】
【請求項１】
ヘッドレスト取り付け用パイプブッシュを上部に有したシートバックフレームがシートバックパッドに挿入される置きパッドタイプの座席シートにおいて、
前記ヘッドレスト取り付け用パイプブッシュに挿入される位置決め用スリットが設けられ、前記シートバックフレームの上部に被せられ、前記シートバックフレームの周囲を包む寸法に形成された吸音シートと、
前記吸音シートが前記シートバックフレームを包んだ状態で、前記ヘッドレスト取り付け用パイプブッシュの近傍の前記吸音シートの上から係合され、前記吸音シートを固定する固定具と、
前記吸音シートが前記シートバックフレームを包んだ状態で、吸音シートの両側下端部の上からシートバックフレームに係合され、前記吸音シートを固定する係止具と、が備えられ、
前記吸音シートが取り付けられた後、前記シートバックパッドが被せられることを特徴とする座席シートの異音防止構造。
【請求項２】
前記固定具は、粘着剤が塗布されたテープであることを特徴とする請求項１記載の座席シートの異音防止構造。
【請求項３】
ヘッドレスト取り付け用パイプブッシュを上部に有したシートバックフレームがシートバックパッドに挿入される置きパッドタイプの座席シートにおいて、
前記ヘッドレスト取り付け用パイプブッシュに挿入される位置決め用スリットが設けられ、シートバックフレームの上部に被せられ、前記シートバックフレームの周囲を包む寸法に形成され、片面に粘着剤が塗布された吸音シートと、
前記吸音シートが前記シートバックフレームを包んだ状態で、前記吸音シートの両側下端部の上から前記シートバックフレームに係合され、前記吸音シートを固定する係止具と、が備えられ、
前記吸音シートが取り付けられた後、前記シートバックパッドが被せられることを特徴とする座席シートの異音防止構造。
【請求項４】
前記シートバックフレームの両サイドにサイドサポートワイヤが設けられており、前記係止具は、前記吸音シートの両側下端部がサイドサポートワイヤを包んだ状態に対して前記吸音シートの固定を行うことを特徴とする請求項１または３記載の座席シートの異音防止構造。
【請求項５】
前記吸音シートが不織布であることを特徴とする請求項１，３または４のいずれかに記載の座席シートの異音防止構造。
【発明の詳細な説明】
【０００１】
【発明の属する技術分野】
本発明は、置きパットタイプの自動車用シートにおけるシートバックフレームとシートバックパッドとの擦れによる異音を防止する座席シートの異音防止構造に関する。
【０００２】
【従来の技術】
置きパットタイプのシートは、ウレタン樹脂等によってシートバックパッドを発泡形成し、このシートバックパッドをシートバックフレームに被せた後、カバーリングされる。シートバックパッドはシートバックフレームに被せられるだけなのでシートバックフレームとシートバックパッドとの密着性が悪く、隙間が発生しやすい。この隙間があるとシートバックフレームとシートバックパッドとが擦れて異音が発生する。
【０００３】
従来、この擦れ音を防止するため、図８に示すようにシートバックパッド１１の成形の際に、シートバックパッド１１のシートバックフレーム１（図９参照）との接触側にインサートクロス１０を一体に発泡することにより、シートバックフレームとシートバックパッドが直接接触しないようにしたものがある。しかし、このタイプは、一体発泡されたウレタン樹脂等の発泡体がインサートクロス１０からシートバックフレーム側にはみ出すことがあり、このはみ出した発泡体がシートバックフレームと接触して擦れるため、異音の発生を確実に防止することができない問題があった。
【０００４】
また、図９に示すように、シートバックフレーム１のヘッドレスト取り付け用パイプブッシュ３ａ，３ｂに対応する部分に穴１４ａ，１４ｂが設けられた袋状のカバー１４を作製し、このカバー１４をシートバックフレーム１の全体に被せた後、シートバックパッドを被せてシートバックとすることもなされている。このタイプは、背面ボードの取り付けが難しく、価格も高くなる等の欠点がある。
【０００５】
さらに、図１０に示すようにシートバックフレーム１の両肩部１６ａ，１６ｂとサイドサポートワイヤ４ａ，４ｂに対して粘着剤付き不織布テープ１８，１９を貼り付けることもなされている。しかしながら、この場合にはシートバックフレーム１に油が付着していることがあり、粘着剤付き不織布テープ１８，１９が確実に張りつけられないため、剥離する不具合があった。
【０００６】
【発明が解決しようとする課題】
本発明はこれら従来技術の問題点を考慮してなされたものであり、シートバックパッドとシートバックフレームとの擦れ音を確実になくし、しかも大きなカバーを被せることなく安価で、背面ボードの取り付けが容易な座席シートの異音防止構造を提供することを目的としている。
【０００７】
【課題を解決するための手段】
上記目的を達成するため、本発明による請求項１に記載の座席シートの異音防止構造は、ヘッドレスト取り付け用パイプブッシュを上部に有したシートバックフレームがシートバックパッドに挿入される置きパッドタイプの座席シートにおいて、前記ヘッドレスト取り付け用パイプブッシュに挿入される位置決め用スリットが設けられ、前記シートバックフレームの上部に被せられ、前記シートバックフレームの周囲を包む寸法に形成された吸音シートと、前記吸音シートが前記シートバックフレームを包んだ状態で、前記ヘッドレスト取り付け用パイプブッシュの近傍の前記吸音シートの上から係合され、前記吸音シートを固定する固定具と、前記吸音シートが前記シートバックフレームを包んだ状態で、吸音シートの両側下端部の上からシートバックフレームに係合され、前記吸音シートを固定する係止具と、が備えられ、前記吸音シートが取り付けられた後、前記シートバックパッドが被せられることを特徴とする。
【０００８】
この発明では、ヘッドレスト取り付け用パイプブッシュを位置決め用スリットに差し込むことにより、吸音シートがシートバックフレームの上部を覆った状態で位置決めされて仮止めされる。そして、固定具をシートバックフレームに係合させることにより、吸音シートがシートバックフレームに確実に固定される。その後、吸音シートによってシートバックフレームの上部を覆い、係止具をシートバックフレームに係合する。これにより、吸音シートがシートバックフレームの上部に確実に固定され、剥離することがなくなる。この吸音シートの取り付けの後、発泡体からなるシートバックパッドをシートバックフレームに被せることにより、シートバックが作製される。
【０００９】
このような構造では、吸音シートがシートバックフレームの上部を確実に覆うため、シートバックパッドがシートバックフレームと接触することがなく、接触に起因した擦れ音を確実に防止することができる。また、吸音シートはシートバックフレームの全体を覆う必要がないため、背面ボードの取り付けが容易となると共に、安価にシートバックを作製することができる。
【００１０】
請求項２の発明は、請求項１記載の発明であって、前記固定具は、粘着剤が塗布されたテープであることを特徴とする。
【００１１】
この発明では、嵩張ることなく吸音シートをシートバックフレームに固定することができる。
【００１２】
本発明による請求項３に記載の座席シートの異音防止構造は、ヘッドレスト取り付け用パイプブッシュを上部に有したシートバックフレームがシートバックパッドに挿入される置きパッドタイプの座席シートにおいて、前記ヘッドレスト取り付け用パイプブッシュに挿入される位置決め用スリットが設けられ、シートバックフレームの上部に被せられ、前記シートバックフレームの周囲を包む寸法に形成され、片面に粘着剤が塗布された吸音シートと、前記吸音シートが前記シートバックフレームを包んだ状態で、前記吸音シートの両側下端部の上から前記シートバックフレームに係合され、前記吸音シートを固定する係止具と、が備えられ、前記吸音シートが取り付けられた後、前記シートバックパッドが被せられることを特徴とする。
【００１３】
この発明においても、ヘッドレスト取り付け用パイプブッシュを位置決め用スリットに差し込むことにより、吸音シートがシートバックフレームの上部を覆った状態で位置決めされる。そして、吸音シートをシートバックフレームの上部に巻き付ける。このとき、片面の粘着剤の作用によって、吸音シートはシートバックフレームの上部に密着しながらその上部を覆うことができる。その後、吸音シートの両端下端部の上から係止具をシートバックフレームに係合させる。これにより、吸音シートがシートバックフレームの上部に確実に固定され、剥離することがなくなる。そして、吸音シートの取り付けの後、発泡体からなるシートバックパッドをシートバックフレームに被せることにより、シートバックが作製される。
【００１４】
このような構造においても、吸音シートがシートバックフレームの上部を確実に覆うため、シートバックパッドがシートバックフレームと接触することがなく、接触に起因した擦れ音を確実に防止することができると共に、吸音シートがシートバックフレームの全体を覆うことがないため、背面ボードの取り付けが容易となると共に、安価にシートバックを作製することができる。
【００１５】
請求項４の発明は、請求項１または３記載の発明であって、前記シートバックフレームの両サイドにサイドサポートワイヤが設けられており、前記係止具は吸音シートの両側下端部がサイドサポートワイヤを包んだ状態に対して吸音シートの固定を行うことを特徴とする。
【００１６】
この発明では、係止具がサイドサポートワイヤに係合することにより、吸音シートの両側下端部をシートバックフレームに固定する構造のため、吸音シートの固定を簡単に行うことができる。
【００１７】
請求項５の発明は、請求項１，３または４のいずれかに記載の発明であって、前記吸音シートが不織布であることを特徴とする。
【００１８】
このように不織布を用いることにより、吸音効果の高い座席シートとすることができる。
【００１９】
【発明の実施の形態】
図１〜図４により本発明の一実施の形態を説明する。自動車用フロントシートのシートバックフレーム１はコ字状に加工された金属製のパイプから構成されており、両サイドフレーム１ａ，１ｂと上部フレーム１ｄとを有している。また、下部には、両サイドフレーム１ａ，１ｂに掛け渡されて溶接等により固着された下部フレーム１ｃが設けられている。さらに、両サイドフレームの上部近傍には、補強フレーム６が上部フレーム１ｄと平行となるように溶接等により固着されている。
【００２０】
また、両サイドフレーム１ａ，１ｂの上部にはコ字状の２つのサイドサポートワイヤ４ａ，４ｂが溶接等により固着されている。２つのサイドサポートワイヤの内、サイドフレーム１ｂ側のサイドサポートワイヤ４ｂが大きく、サイドフレーム１ａ側のサイドサポートワイヤ４ａが小さくなっている。両サイドフレーム１ａ，１ｂ間には所要本数のＳばね５，５‥‥が掛け渡されている。さらに、上部フレーム１ｄには矩形パイプからなるヘッドレスト取り付け用パイプブッシュ３ａ，３ｂが溶接等により固着されている。
【００２１】
吸音シート２はシートバックフレーム１の上部を覆うために用いられる。この場合、吸音シート２はサイドサポートワイヤ４ａ，４ｂを含むシートバックフレーム１の上部を覆う長さ及び幅の長方形に形成されている。
【００２２】
この吸音シート２にはヘッドレスト取り付け用パイプブッシュ３ａ，３ｂに対応する部分に位置決め用スリット２ａ，２ｂが設けられている。位置決め用スリット２ａ，２ｂは、十字形状となっており、ヘッドレスト取り付け用パイプブッシュ３ａ，３ｂが差し込まれるようになっている。また、吸音シート２におけるサイドサポートワイヤ４ｂ側の端部には、サイドサポートワイヤ４ｂに取り付けるための突出部２ｃが一体的に設けられている。
【００２３】
吸音シート２はプラスチックシート、不織布、その他の材料によって形成される。この実施の形態では、不織布によって成形されており、これにより吸音効果の大きな吸音シートとなっている。
【００２４】
図２は、吸音シート２をシートバックフレーム１に取り付けた状態を示している。吸音シート２は、シートバックフレーム１の上部を覆うようにシートバックフレーム１の上部に被せられ、その位置決め用スリット２ａ，２ｂにヘッドレスト取り付け用パイプブッシュ３ａ，３ｂが差し込まれることにより仮止めされる。
【００２５】
そして、吸音シート２はシートバックフレーム１の上部から、その両端部が両サイドフレーム１ａ，１ｂに沿って垂れ下がることにより、シートバックフレーム１の上部とサイドサポートワイヤ４ａ，４ｂを覆っている。すなわち、吸音シート２は、上部フレーム１ｄと両サイドフレーム１ａ，１ｂの上部と、サイドフレームワイヤ４ａ，４ｂとを覆うものである。さらに、吸音シート２の覆い状態を確実に行うため、固定具７及び係止具８が使用される。
【００２６】
固定具７は吸音シート２を上部フレーム１ｄに固定するものであり、先端部が狭くなった略Ｕ字状のクリップが使用されている。この固定具７を図２に示すように、上部フレーム１ｄにおけるヘッドレスト取り付け用パイプブッシュ３ａ，３ｂの間の部分に対し、吸音シート２を挟むように係合することにより、吸音シート２が上部フレーム１ｄに固定される。
【００２７】
一方、係止具８は図３及び図４に示すように、吸音シート２をサイドフレーム１ａ，１ｂの上部に固定するものである。なお、この実施の形態においては、サイドフレーム１ａ，１ｂに設けたサイドサポートワイヤ４ａ，４ｂに対して吸音シート２を固定するようになっている。また、係止具としては、Ｃリング８が用いられている。
【００２８】
図３（ａ）〜（ｃ）は吸音シート２の一端（左端）側をサイドサポートワイヤ４ａに取り付ける状態を示す。まず、吸音シート２の一端部によってサイドサポートワイヤ４ａを含めたサイドフレーム１ａの上部を外側から包む。つぎに、サイドサポートワイヤ４ａよりも下側に垂れ下がっている吸音シート２の端部を重ね合わせた後、上方に折り曲げる。そして、２つのＣリング８を吸音シート２の上からサイドサポートワイヤ４ａに係合させて固定する。これにより、吸音シート２の一端は、サイドフレーム１ａの上部及びサイドサポートワイヤ４ａを包んだ状態で固定される。
【００２９】
図４（ａ）〜（ｃ）は吸音シート２の他端（右端）側をサイドサポートワイヤ４ｂに取り付ける状態を示す。まず、吸音シート２の他端部によってサイドサポートワイヤ４ｂを含めたサイドフレーム１ｂの上部を外側から包む。これにより、突出部２ｃがサイドサポートワイヤ４ｂよりも下方に垂れ下がる。この垂れ下がった突出部２ｃをサイドサポートワイヤ４ｂの下方で重ね合わせた後、上方に折り曲げることにより、サイドサポートワイヤ４ｂの下端部を吸音シート２の端部２ｃにより包む。そして、２つのＣリング８を吸音シート２の上からサイドサポートワイヤ４ｂに係合させて、固定する。これにより吸音シート２の他端は、サイドフレーム１ｂの上部及びサイドサポートワイヤ４ｂを包んだ状態で固定される。
【００３０】
このような実施の形態では、シートバックフレーム１の上部を吸音シート２で覆った後、シートバックパッドを被せてシートバックとするため、シートバックパッドとシートバックフレーム１とが直接接触することはなく、擦れ音が発生することはない。また、吸音シート２は、位置決め用スリット２ａ，２ｂによりヘッドレスト取り付け用パイプブッシュ３ａ，３ｂに取り付けられ、さらにサイドサポートワイヤ４ａ，４ｂに固定されるため、外れたり、位置がずれたりすることがない。このため、異音の発生を確実に防止することができる。
【００３１】
また、この実施の形態では、シートバックフレーム１の両サイドのサイドサポートフレーム４ａ，４ｂに吸音シート２を係合して固定するため、吸音シート２の取り付けを容易にすることができる。
【００３２】
図５はこの実施の形態の変形々態を示す。この形態では、吸音シート２をシートバックフレーム１の上部フレーム１ｄに固定する固定具として、固定用テープ２３が用いられている。固定用テープ２３は、不織布等からなる基材層の片面に粘着剤２４が塗布されることにより形成されるものである。
【００３３】
この形態では、吸音シート２の位置決め用スリット２ａ，２ｂにシートバックフレーム１のヘッドレスト取り付け用パイプブッシュ３ａ，３ｂを挿入して仮止めした後、吸音シート２をシートバックフレーム１のサイドフレーム１ａ，１ｂの上部及び上部フレーム１ｄの周囲に被せる。そして、粘着剤２４を吸音シート２に臨ませた状態で、固定用テープ２３を上部フレーム１ｄ上の吸音シート２に接触させて上部フレーム１ｄに巻き付ける。これにより、固定用テープ２３が上部フレーム１ｄに係合するため、吸音シート２はヘッドレスト取り付け用パイプブッシュ３ａ，３ｂの間の部分で固定用テープ２３によって固定される。その後は、図３及び図４に示すと同様な手順により吸音シート２をシートバックフレーム１に固定する。
【００３４】
この形態では、上記実施の形態と同様な効果を有するのに加えて、薄い固定用テープ２３を用いて、吸音シート２をシートバックフレーム１の上部フレーム１ｄに固定するため、嵩張ることがなくなる。また、固定用テープ２３は安価であるため、座席シートを安く提供することができるメリットがある。なお、サイドフレーム１ａ，１ｂの外周に対して吸音シート２を固定するために、この形態の固定用テープ２３を用いても良い。
【００３５】
図６及び図７は、本発明の別の実施の形態を示し、上述した実施の形態と同一の部材は同一の符号を付して対応させてある。図６はこの実施の形態の吸音シート２０であり、実施の形態１と同様に、サイドサポートワイヤ４ａ，４ｂを含むシートバックフレーム１の上部を覆う長さ及び幅の長方形に形成されている。また、ヘッドレスト取り付け用パイプブッシュ３ａ、３ｂに対応した位置には、これらのブッシュ３ａ、３ｂが差し込まれる十字形状の位置決め用スリット２０ａ，２０ｂが設けられていると共に、一方の端部には、突出部２０ｃが一体的に設けられている。
【００３６】
吸音シート２０の材質としては、不織布、その他のものが使用されている。さらに、吸音シート２０の片面には、粘着剤２１が塗布されている。粘着剤２１はその粘着性によって、吸音シート２０をシートバックフレーム１の上部１ｄに被着させるものである。この作用を行うため、粘着剤２１としては、吸音シート２０の全面に設けても良く、シートバックフレーム１の径に応じた幅で設けても良い。
【００３７】
図７は吸音シート２０をシートバックフレーム１に被せた状態を示す。吸音シート２０は図５の状態を上下反転させて、すなわち、粘着剤２１の塗布面をシートバックフレーム１に臨ませた状態で、上述した実施の形態と同様に、位置決め用スリット２ａ、２ｂにヘッドレスト取り付け用パイプブッシュ３ａ、３ｂを差し込む。その後、吸音シート２０をシートバックフレーム１の上部１ｄに巻き付ける。
【００３８】
この巻き付けでは、粘着剤２１の作用によって、吸音シート２０がシートバックフレーム１の上部１ｄに密着しながら、上部１ｄを覆うようになる。すなわち、吸音シート２０は粘着剤２１の作用によって、シートバックフレーム１の上部１ｄに接合された状態となり、シートバックフレーム１に自動的に固定される。このため、この実施の形態では、吸音シートをシートバックフレーム１の上部１ｄに固定するための固定具が不要となる。その後の工程は、図３及び図４で示すように上述した実施の形態と同様に行う。
【００３９】
この実施の形態においても、吸音シート２０が設けられているため、シートバックパッドとシートバックフレーム１とが直接接触することがなく、擦れ音が発生することがなくなる。また、この実施の形態では、粘着剤２１を吸音シート２０に塗布しているため、吸音シート２０をシートバックフレーム１の上部１ｄにそのまま接合することができる。これにより、固定具７が不要となり、部品点数を削減することができると共に、吸音シート２０の固定を簡単に行うことができる。
【００４０】
【発明の効果】
請求項１の発明によると、吸音シートをシートバックフレームの上部に確実に固定でき、シートバックフレームの上部を確実に覆うため、シートバックパッドがシートバックフレームと接触することがなく、接触に起因した擦れ音を確実に防止することができ、しかも、吸音シートがシートバックフレームの全体を覆う必要がないため、背面ボードの取り付けが容易となると共に、安価にシートバックを作製することができる。
【００４１】
請求項２の発明によると、嵩張ることなく吸音シートをシートバックフレームに固定することができる。
【００４２】
請求項３の発明によると、吸音シートに粘着剤が塗布されているため、吸音シートをシートバックフレームに直接に接合することができ、吸音シート固定のための固定具が不要となる。このため、吸音シートの取り付けが簡単となり、部品点数も削減することができる。
【００４３】
請求項４の発明によると、請求項１又は３の発明と同様な効果を有するのに加えて、係止具がサイドサポートワイヤに係合し、吸音シートをシートバックフレームに固定するため、吸音シートの固定を簡単に行うことができる。
【００４４】
請求項５の発明によると、請求項１，３又は４記載の発明と同様な効果を有するのに加えて、吸音効果の高い座席シートとすることができる。
【図面の簡単な説明】
【図１】本発明の一実施の形態の分解斜視図である。
【図２】（ａ）は吸音シートをシートバックフレームに被せた状態の斜視図、（ｂ）は吸音シートをシートバックフレームの上部に固定する状態の斜視図である。
【図３】（ａ）〜（ｃ）は吸音シートを一方のサイドサポートフレームに固定する手順を示す斜視図である。
【図４】（ａ）〜（ｃ）は吸音シートを他方のサイドサポートフレームに固定する手順を示す斜視図である。
【図５】一実施の形態の変形々態を示す斜視図である。
【図６】本発明の別の実施の形態に用いる吸音シートの斜視図である。
【図７】別の実施の形態における吸音シートのシートバックフレームへの取り付けを示す斜視図である。
【図８】フロントバックパッドとインサートクロスを一体発泡した従来技術を示す斜視図である。
【図９】シートバックフレームに袋状のカバーを被せた従来技術を示す斜視図である。
【図１０】不織布テープをシートバックフレームに貼り付けた従来技術を示す斜視図である。
【符号の説明】
１            シートバックフレーム
１ａ，１ｂ    サイドフレーム
１ｃ          下部フレーム
１ｄ          上部フレーム
２            吸音シート
２ａ，２ｂ    位置決め用スリット
２ｃ          突出部
３ａ，３ｂ    ヘッドレスト取り付け用パイプブッシュ
４ａ，４ｂ    サイドサポートワイヤ
５            Ｓばね
６            補強フレーム
７            固定具
８            Ｃリング
１０            インサートクロス
１１            シートバックパッド
１４            袋状のカバー
１４ａ，１４ｂ  対応する部分の穴
１６ａ，１６ｂ  両肩部
１８，１９      粘着剤付き不織布テープ
２０            粘着剤付き不織布テープ
２１            粘着剤
２３            固定用テープ
２４            粘着剤
【図１】
0004048300.tif 000002
【図２】
0004048300.tif 000003
【図３】
0004048300.tif 000004
【図４】
0004048300.tif 000005
【図５】
0004048300.tif 000006
【図６】
0004048300.tif 000007
【図７】
0004048300.tif 000008
【図８】
0004048300.tif 000009
【図９】
0004048300.tif 000010
【図１０】
0004048300.tif 000011